(57)【要約】【課題】強度を損なうことなく長側板にも把手が形成されるようにし、折り畳みコンテナの取り扱い性を改善する。【解決手段】四側辺を有する底板１の少なくとも四隅に支持突部３を形成するとともに、該底板の対向する長辺の両端間に中間支持突部５を形成し、下辺に該中間支持突部が遊嵌する切込１３が形成された長側板１０を内側に傾倒可能なるように該底板の長辺に軸支し、該底板の対向する短辺には短側板７を内側に傾倒可能なるように軸支し、該支持突部および中間支持突部により複数の小型の折り畳みコンテナＢが横並びに支持されて積み重ねられる大型の折り畳みコンテナＡであって、前記長側板の外面の周縁部に補強リブ１２を額縁状に形成するとともに、該長側板の外面の前記切込の上部にあたる部分に補強用の縦リブ１４を形成し、該長側板の外面の上縁に相当する補強リブ１２には下方に開口したポケット状の把手部１５を前記縦リブによって少なくとも指が入る程度の幅ｗに多分割して形成した。【選択図】　図１
2004042956.tif 000002
【特許請求の範囲】
【請求項１】
複数の小型の折り畳みコンテナが横並びに支持されて積み重ねられ、各辺に側板が内側に傾倒可能なるように軸支された大型の折り畳みコンテナであって、前記側板の外面の周縁部に補強リブを額縁状に形成するとともに、該側板の外面に上下に亘る補強用の縦リブを形成し、該側板の外面の上縁に相当する補強リブには下方に開口したポケット状の把手部を前記縦リブによって少なくとも指が入る程度の幅に形成したことを特徴とする折り畳みコンテナ。
【請求項２】
四側辺を有する底板の少なくとも四隅に支持突部を形成するとともに、該底板の対向する長辺の両端間に中間支持突部を形成し、下辺に該中間支持突部が遊嵌する切込が形成された長側板を内側に傾倒可能なるように該底板の長辺に軸支し、該底板の対向する短辺には短側板を内側に傾倒可能なるように軸支し、該支持突部および中間支持突部により複数の小型の折り畳みコンテナが横並びに支持されて積み重ねられる大型の折り畳みコンテナであって、前記長側板の外面の周縁部に補強リブを額縁状に形成するとともに、該長側板の外面の前記切込の上部にあたる部分に補強用の縦リブを形成し、該長側板の外面の上縁に相当する補強リブには下方に開口したポケット状の把手部を前記縦リブによって少なくとも指が入る程度の幅に多分割して形成したことを特徴とする折り畳みコンテナ。
【発明の詳細な説明】
【０００１】
【発明の属する技術分野】
本発明は、底板の大きさが異なる大小の折り畳みコンテナを安定して積み重ねられる折り畳みコンテナにおける把手の構成に関するものである。
【０００２】
【従来の技術】
底板の大きさが異なる大小の折り畳みコンテナからなり、大型の折り畳みコンテナの底板の長辺の長さが小型の折り畳みコンテナの底板の一辺の長さの整数倍に設定され、これらの大小のコンテナを混在させ折り畳み状態でも組み立て状態でも安定して積み重ねられるようにする構造は、特開２００２−２６９６号公報等により知られている。
【０００３】
【発明が解決しようとする課題】
ところで、上記従来の折り畳みコンテナでは、大型の折り畳みコンテナの長側板の両端間に上段の小型の折り畳みコンテナの荷重が掛かるので、該長側板の外面の周縁部に補強リブを額縁状に形成しただけでは該長側板に必要な圧縮強度が得られず、該長側板の中間部にも補強用の縦リブを形成することを要するものであった。ところがこのような縦リブを該長側板に形成すると、該縦リブが該長側板の外面に把手を形成することの邪魔となる。このため従来では長側板には把手が形成されず、短側板にのみ把手が形成されていた。このため長側板を指を通して安定的に把持するようなことができず、取り扱い性が悪いという問題があった。
【０００４】
本発明は上記課題を解決し、強度を損なうことなく長側板にも短側板にも形成し得る把手構造とし、この種の折り畳みコンテナの取り扱い性を改善しようとするものである。
【０００５】
【課題を解決するための手段】
そのために本発明は、複数の小型の折り畳みコンテナが横並びに支持されて積み重ねられ、各辺に側板が内側に傾倒可能なるように軸支された大型の折り畳みコンテナであって、前記側板の外面の周縁部に補強リブを額縁状に形成するとともに、該側板の外面に上下に亘る補強用の縦リブを形成し、該側板の外面の上縁に相当する補強リブには下方に開口したポケット状の把手部を前記縦リブによって少なくとも指が入る程度の幅に形成したことを特徴とする。
また本発明は、四側辺を有する底板の少なくとも四隅に支持突部を形成するとともに、該底板の対向する長辺の両端間に中間支持突部を形成し、下辺に該中間支持突部が遊嵌する切込が形成された長側板を内側に傾倒可能なるように該底板の長辺に軸支し、該底板の対向する短辺には短側板を内側に傾倒可能なるように軸支し、該支持突部および中間支持突部により複数の小型の折り畳みコンテナが横並びに支持されて積み重ねられる大型の折り畳みコンテナであって、前記長側板の外面の周縁部に補強リブを額縁状に形成するとともに、該長側板の外面の前記切込の上部にあたる部分に補強用の縦リブを形成し、該長側板の外面の上縁に相当する補強リブには下方に開口したポケット状の把手部を前記縦リブによって少なくとも指が入る程度の幅に多分割して形成したことを特徴とする。
【０００６】
【発明の実施の形態】
次に図面に従い本発明の実施の形態を説明する。図１は本発明に係る大型の折り畳みコンテナＡの斜視図、図２はその折り畳み状態の斜視図である。図中、１はプラスチックの射出成形によって一体に形成された長方形状の底板で、該底板の対向する短辺に起立壁２を形成し、該底板の四隅に相当する該起立壁の両端部に支持突部３を形成し、該起立壁２の内側には適宜間隔で軸受部４を形成し、該底板の対向する長辺の両端間には中間支持突部５を前記支持突部３と同高に形成するとともに適宜間隔で軸受部６を形成する。
【０００７】
７は下縁に支軸８が突設された一対の短側板で、該支軸８を前記軸受部４に遊嵌することで該短側板７は内側に傾倒可能なるように軸支される。なお、該短側板７の外面の周縁部には補強リブ９が額縁状に形成されている。また、２５は短側板７の外面の上縁に相当する前記補強リブ９に下方に開口するポケット状に形成された把手部で、該把手部は２本の縦リブ２６によって少なくとも指が入る程度の幅ｗに分割して形成される。
【０００８】
また、１０は下縁に支軸１１が突設された一対の長側板で、該支軸１１を前記軸受部６に遊嵌することで該長側板１０も内側に傾倒可能なるように軸支される。なお、該長側板１０の外面の周縁部に補強リブ１２が額縁状に形成されている。また、該長側板１０の下辺には前記中間支持突部５が遊嵌する切込１３が形成され、該長側板１０の外面の該切込１３の上部にあたる部分に補強用の縦リブ１４を２本平行に形成している。そして該長側板１０の外面の上縁に相当する前記補強リブ１２には、図３の縦断面図にも示されるように、下方に開口したポケット状の把手部１５を前記２本の縦リブ１４によって少なくとも指が入る程度の幅ｗに３分割して形成される。
【０００９】
また、長側板１０の両端縁の上部外面に図４に示したように複数の爪片１７が適宜間隔で突設され、また、短側板７の両端部には内側に鉤状に折れ曲がる係合リブ１８が一体に形成され、該係合リブに前記爪片１７が係合し得る係合孔１９が形成されている。また、２０は図５にも示したように短側板７の両端部に前記係合リブ１８の内面に対向するような形態でコ字状スリット２１を形成することで形成され内側に楔状に突出する弾性爪片で、該弾性爪片２０は短側板７を起立させた後に長側板１０を起立させる際に該長側板の両端縁が該弾性爪片２０を外側に押圧し該長側板１０を起立させたとき該弾性爪片２０が該長側板の両端縁に係合することで該長側板および短側板７を起立状態に保持させるものである。
【００１０】
この折り畳みコンテナＡは、弾性爪片２０を指で外方に押すことで上記係合を外し、長側板１０を内側に傾倒した後、短側板７を内側に傾倒すことで図２に示したように折り畳まれ高さを縮小できる。また、組み立てるに際しては、短側板７を起立させた後に長側板１０を起立させれば、該長側板１０の両端縁により弾性爪片２０が自然と外側に押圧された後、該弾性爪片が復元し該長側板の両端縁に係合することから、ワンタッチで組み立てられる。その際に係合リブ１８の係合孔１９に爪片１７が係合することで短側板７と長側板１０との連結状態がより強固なものとなる。
【００１１】
そしてこの大型の折り畳みコンテナＡでは、図６に示したように上記組み立て状態にてその上に半分の大きさの小型の折り畳みコンテナＢを２つ横並びにて積み重ねることができるとともに、上記折り畳み状態では図７に示したようにコンテナＡの四隅に設けられた前記支持突部３上、及び中間支持突部５上にこの２つのコンテナＢが支持されることから、折り畳み状態にても整然と積み重ねられ、高さが大幅に背低になる。
【００１２】
そして、この折り畳みコンテナＡは、長側板１０の外面に下方に開口したポケット状の把手部１５を形成したことから、上記組み立て状態にて該把手部１５に指を差し入れることで該コンテナＡの長側面中央部を把持し安定的に支持することができるようになり、取り扱いが容易となる。なお、該把手部１５は縦リブ１４によって指が入る程度の幅に形成したものであって、縦リブ１４による切込１３の上部にあたる部分の強度を損なうものではないので、長側板１０は従来どおりの強度，耐荷重性が維持され、多段に積み重ねることが可能となる。言い換えれば、これによって縦リブ１４を廃止することなく把手部１５を形成することができる。
【００１３】
なおこの実施形態では、短側板７の外面上縁の補強リブ９にも下方に開口するポケット状の把手部２５が形成されていることから、組み立て状態にて該把手部２５に指を差し入れ該コンテナＡの短側面中央部を把持することも可能である。
【００１４】
【発明の効果】
このように本発明の折り畳みコンテナは、側板の外面の上縁に相当する補強リブに下方に開口したポケット状の把手部を縦リブによって少なくとも指が入る程度の幅に形成したことにより、長側板にもその強度を損なうことなく把手部を形成でき、この種の大型の折り畳みコンテナの取り扱い性を改善できる有益な効果がある。
【図面の簡単な説明】
【図１】本発明の実施形態を示す大型の折り畳みコンテナの組み立て状態の斜視図。
【図２】図１のコンテナの折り畳み状態の斜視図。
【図３】図１のコンテナのＡ−Ａ線断面図。
【図４】図１のコンテナのＢ−Ｂ線断面図。
【図５】図１のコンテナのＣ−Ｃ線断面図。
【図６】図１のコンテナと小型のコンテナの組み立て状態の斜視図。
【図７】図１のコンテナと小型のコンテナの折り畳み状態の斜視図。
【符号の説明】
１　　　底板
２　　　起立壁
３　　　支持突部
４　　　軸受部
５　　　中間支持突部
６　　　軸受部
７　　　短側板
１０　　長側板
１２　　補強リブ
１３　　切込
１４　　縦リブ
１５　　把手部
２５　　把手部
２６　　縦リブ
Ａ　　　大型の折り畳みコンテナ
Ｂ　　　小型の折り畳みコンテナ
ｗ　　　指が入る幅
【図１】
2004042956.tif 000003
【図２】
2004042956.tif 000004
【図３】
2004042956.tif 000005
【図４】
2004042956.tif 000006
【図５】
2004042956.tif 000007
【図６】
2004042956.tif 000008
【図７】
2004042956.tif 000009